(57)【要約】【課題】  リレー記録を行った場合でも、簡単な操作にて一方のメディアにリレー記録されたコンテンツを移動可能とする。【解決手段】  一連のコンテンツを示す画像データを第一の記録媒体と第二の記録媒体とに分割して記録した後、前記第一の記録媒体からの情報データの削除の処理に伴って前記第一の記録媒体の記録可能容量が前記第二の記録媒体に分割して記録された前記画像データを記録可能な容量となったことに応じて前記第二の記録媒体に対して分割記録された画像データを前記第一の記録媒体に移動して記録する。【選択図】  図２０
2005174391.tif 000002
【特許請求の範囲】
【請求項１】
第一の記録媒体に対して情報データを記録再生する第一の記録再生手段と、
第二の記録媒体に対して前記情報データを記録再生する第二の記録再生手段と、
一連のコンテンツを示す前記情報データを前記第一の記録媒体と前記第二の記録媒体とに分割して記録した後、前記第一の記録媒体からの情報データの削除の処理に伴って前記第一の記録媒体の記録可能容量が前記第二の記録媒体に分割して記録された前記情報データを記録可能な容量となったことに応じて前記第二の記録媒体に対して分割記録された情報データを前記第一の記録媒体に移動して記録するよう前記第一の記録再生手段と第二の記録再生手段とを制御する制御手段とを備える記録再生装置。
【請求項２】
前記第一の記録媒体の記録可能容量と前記第二の記録媒体に分割して記録された情報データのデータ量とに係る情報を表示装置に表示する表示手段を備えたことを特徴とする請求項１記載の記録再生装置。
【請求項３】
前記制御手段は、前記第一の記録媒体の記録可能容量が前記第二の記録媒体に対して分割記録された前記情報データを記録可能な容量となったか否かを判別し、前記分割記録された情報データを記録可能な容量となった場合に、指示手段による前記第一の記録媒体に対する前記分割記録された情報データの移動指示に応じて前記第二の記録媒体に対して分割記録された情報データを前記第一の記録媒体に移動して記録することを特徴とする請求項２記載の記録再生装置。
【請求項４】
前記制御手段は、前記第一の記録媒体に記録された複数のコンテンツの情報データのうちの指定された一部の情報データを削除するよう前記第一の記録再生手段を制御することを特徴とする請求項１記載の記録再生装置。
【請求項５】
前記情報データは映像データを含み、前記映像データを出力する撮像手段を備えたことを特徴とする請求項１記載の記録再生装置。
【請求項６】
前記情報データを入力する入力手段を備え、前記制御手段は、前記入力手段から入力された情報データ中の所定のマーク情報に基づいて前記情報データを前記第一の記録媒体と第二の記録媒体に分割して記録する場合の分割位置を決定することを特徴とする請求項１記載の記録再生装置。
【請求項７】
前記入力手段は外部装置より送信された前記情報データを入力することを特徴とする請求項６記載の記録再生装置。
【請求項８】
前記情報データは映像データ及びこの映像データに関連した音声データを含み、前記マーク情報は前記音声データのモードの変化を示す情報であることを特徴とする請求項６記載の記録再生装置。
【請求項９】
前記音声モードとは、ステレオ、モノラル、二ヶ国語の少なくとも二つ以上含むことを特徴とする請求項８記載の記録再生装置。
【請求項１０】
前記情報データは映像データ及びこの映像データに関連した音声データを含み、前記情報データを入力する入力手段を備え、前記制御手段は、前記入力手段により入力された音声データの状態に従って前記情報データを前記第一の記録媒体と第二の記録媒体に分割して記録する場合の分割位置を決定することを特徴とする請求項１記載の記録再生装置。
【請求項１１】
前記第一の記録媒体の記録可能容量が前記第二の記録媒体に対して分割記録された前記情報データを記録可能な容量となったことを示す情報を表示装置に表示する表示手段を備えたことを特徴とする請求項１記載の記録再生装置。
【請求項１２】
前記制御手段は、前記第一の記録媒体と第二の記録媒体とに分割して記録された情報データを、前記第一の記録媒体から再生した後引き続いて前記第二の記録媒体から再生するよう前記第一の記録再生手段と第二の記録再生手段を制御することを特徴とする請求項１記載の記録再生装置。
【請求項１３】
前記制御手段は、前記第二の記録媒体に分割して記録された情報データの再生開始の指示に応じて、前記分割して記録された情報データを、前記第一の記録媒体から再生した後引き続いて前記第二の記録媒体から再生するよう前記第一の記録再生手段と第二の記録再生手段を制御することを特徴とする請求項１記載の記録再生装置。
【請求項１４】
前記第一の記録媒体は排出機構により前記記録装置の外部に排出可能であり、前記第二の記録媒体は前記記録装置に内蔵され、前記排出機構により装置外部には排出不能であることを特徴とする請求項１記載の記録再生装置。
【請求項１５】
前記第一の記録媒体は光ディスク媒体を含み、前記第二の記録媒体はハードディスク媒体を含むことを特徴とする請求項１４記載の記録再生装置。
【請求項１６】
第一の記録媒体と第二の記録媒体とに対して情報データを記録再生する方法であって、
一連のコンテンツを示す前記情報データを前記第一の記録媒体と前記第二の記録媒体とに分割して記録した後、前記第一の記録媒体からの情報データの削除の処理に伴って前記第一の記録媒体の記録可能容量が前記第二の記録媒体に分割して記録された前記情報データを記録可能な容量となったことに応じて前記第二の記録媒体に対して分割記録された情報データを前記第一の記録媒体に移動して記録することを特徴とする記録再生方法。
【発明の詳細な説明】
【技術分野】
【０００１】
本発明は、記録再生装置に関し、特に複数の記録媒体に対して情報データを記録再生する装置に関する。
【背景技術】
【０００２】
これまでＶＨＳ方式等の磁気デープを記録媒体とした家庭用ビデオデッキが普及してきた。また近年では、パソコンの普及に伴い、ハードディスク（以下ＨＤＤという）等の記録デバイスの大容量化、低価格化も進んでいる。さらにこの様なビデオ機器のデジタル化も進み、特にビデオカメラではＤＶ方式が主流になりつつある。
【０００３】
このような背景の中、家庭用ビデオデッキにもデジタル化の波が押し寄せ、書き換え可能ＤＶＤメディア等の光ディスクやＨＤＤを記録媒体とし、ＭＰＥＧ２方式で画像データを符号化して記録再生する製品が出てきている。これは従来の磁気テープを記録媒体としたビデオカセットに比べ、ランダムアクセス性を生かしたコンテンツ管理または再生、長時間録画、録画しながら既に録画されたコンテンツの再生を行う録画再生同時実行など多くのメリットがある。
【０００４】
また、着脱可能な光ディスクと大容量ＨＤＤを備えたハイブリッドレコーダーも多くの機種が製品化され、普及してきている。このような製品では、光ディスクかＨＤＤのどちらに録画するかをユーザが選択することができる。また一方から他方へコピーや移動することが可能である。
【０００５】
また、録画媒体として光ディスクを選択して予約録画を実行する時に、光ディスク装着されていないか、または残量不足である場合に、頭から自動的にＨＤＤに録画する機能や、光ディスクに録画中、残量が所定量以下となると自動的にＨＤＤに録画を開始する機能を持つものもある。この場合、光ディスクとＨＤＤにひとつのコンテンツがまたがって記録される。
【０００６】
このような技術が、特許文献１に記載されている。
【特許文献１】特開２００２−７４８３９
【発明の開示】
【発明が解決しようとする課題】
【０００７】
しかしながら上記従来例である特開２００２−７４８３９では、光ディスクとＨＤＤにまたがって録画されたコンテンツ（以下リレーコンテンツという）を一枚のディスクにまとめて記録したいとユーザが望んだとき、光ディスクに記録されたデータを一旦ＨＤＤに退避した後、ユーザはブランクディスクを新たに挿入しなければならない。
【０００８】
また、特許文献１の発明では、一つのコンテンツを光ディスクとＨＤＤに跨って記録した場合（以下リレー記録という）に、この光ディスクを異なるレコーダに挿入してリレーコンテンツを再生した場合に、このデータがリレーコンテンツであることをユーザが認識することができない。
【０００９】
更に、ＨＤＤの方に記録されたリレーコンテンツについても、同様にＨＤＤに記録されたリレーコンテンツのみを再生する場合に、このデータがリレーコンテンツであることを認識することができない。
【００１０】
また、例えばビデオテープなどから再生された画像データを光ディスクに記録する場合などにおいて、光ディスクの容量不足により記録できなかった領域をＨＤＤにリレー記録する際、区切りの良いところからＨＤＤに記録開始することができない。
【００１１】
そこで、本発明は前述の問題を解決し、リレー記録を行った場合でも、簡単な操作にて一方のメディアにリレー記録されたコンテンツを移動可能とすることを目的とする。
【課題を解決するための手段】
【００１２】
前述の問題を解決するため、本発明においては、第一の記録媒体に対して情報データを記録再生する第一の記録再生手段と、第二の記録媒体に対して前記情報データを記録再生する第二の記録再生手段と、一連のコンテンツを示す前記情報データを前記第一の記録媒体と前記第二の記録媒体とに分割して記録した後、前記第一の記録媒体からの情報データの削除の処理に伴って前記第一の記録媒体の記録可能容量が前記第二の記録媒体に分割して記録された前記情報データを記録可能な容量となったことに応じて前記第二の記録媒体に対して分割記録された情報データを前記第一の記録媒体に移動して記録するよう前記第一の記録再生手段と第二の記録再生手段とを制御する制御手段とを備える。
【発明の効果】
【００１３】
本発明によれば、二つの記録媒体に分割して記録した一連のコンテンツを簡単な操作にて一つの記録媒体にまとめて保存することが可能となる。
【発明を実施するための最良の形態】
【００１４】
以下、本発明の実施形態について図面を用いて説明する。
【００１５】
図１は、本発明を適用した記録再生装置１００の構成を示す図である。
【００１６】
１１０は制御部であり、記録再生装置１００の各部を制御する。制御部１１０はマイクロコンピュータ及びそのプログラムを格納する不揮発性メモリ（ＲＯＭ）、作業領域となる揮発性メモリ（ＲＡＭ）、他のハードウエアとデータの受け渡しや制御用レジスタをアクセスするための外部バス、時間を計測するタイマを少なくとも有している。
【００１７】
１０３はバスである。バス１０３には、制御部１１０の外部バスの他、後に説明する各ブロックが接続されており、制御部１１０の制御に従ってデータの受け渡しを行う伝送路である。１０１はチューナー部である。チューナー１０１はアンテナやケーブルを介して受信する放送波から、制御部１１０の制御に従いチャンネルを選択（選局）する。選択されたチャンネルのビデオ信号を出力する。１０２はエンコーダであり、制御部１１０の制御に従い、記録時にはチューナー１０１から出力されるビデオ信号を受け、ＭＰＥＧ（Ｍｏｖｉｎｇ  Ｐｉｃｔｕｒｅ  Ｅｘｐｅｒｔｓ  Ｇｒｏｕｐ）方式等のデジタルビデオデータに逐次変換する。
【００１８】
またデジタルビデオデータは、バス１０３のアドレス空間のうち、制御部１１０によって指定されたアドレスを先頭に出力していく。１０６はメモリであり、各ブロックが作業用に使用可能となっている。１０４はＡＴＡ（ＡＴＡＰＩ）クインターフェース部（以降ＡＴＡＰＩ  Ｉ／Ｆ部とする）であり、１０５はハードディスク（以降ＨＤＤとする）、１１６はディスクＩ／Ｆである。ＡＴＡＰＩ  Ｉ／Ｆ部１０４は、バス１０３に接続される制御部１１０やメモリ１０６とのインターフェースと、ＨＤＤ１０５や光ディスク１２０とのインターフェースを有し、制御部１１０等からＨＤＤ１０５や光ディスクの制御レジスタにアクセスするための変換を行う。
【００１９】
１１６はディスクＩ／Ｆであり、ヘッド、モータを含むメカデッキ、それらを制御する制御回路、及びＡＴＡＰＩ＿Ｉ／Ｆ１０４と接続可能なインターフェースを有し、光ディスクＤにデータ等を読み書きする。ＡＴＡＰＩ  Ｉ／Ｆ部１０４には、バス１０３上の先頭アドレスとデータ量、及びＨＤＤ１０５（または光ディスク１２０）の先頭セクタを指定することにより、読み出しまたは書き込みデータを自動転送する所謂ダイレクトメモリアクセス（ＤＭＡ）機能が備わっている。ディスクＤは不図示のイジェクト機構により、記録再生装置１００に対し、装着、排出される。
【００２０】
一方、ＨＤＤ１０５はこの様なイジェクト機構などにより一般ユーザーが容易に取り外すことができない構成となっている。
【００２１】
１０８はデコーダであり、制御部１１０に指定されたバス１０３上のアドレスからデジタルビデオデータを逐次読み出し映像信号、及び音声信号に変換して出力する。１０７は音声出力端子、１０９は映像出力端子である。映像出力端子１０９、音声出力端子１０７はデコーダ部１０８によって変換されたＮＴＳＣ方式等の映像信号、音声信号をそれぞれ外部に出力するための端子であり、テレビジョン受像機等に接続される。１１３はオンスクリーンディスプレイ（ＯＳＤ）部であり、各種設定メニューやタイトル、時間などの情報をビデオ出力に重畳する。
【００２２】
１１１は表示パネルであり、本体前面等に配置され、最低限の情報を表示するために備わっている。１１２は操作スイッチ群であり、電源の投入、ＨＤＤと光ディスクの選択、録画・再生の選択、画質等を決定する録画モードなどをユーザーが行うための入力部である。１１４はリモコン受光部であり、赤外リモコンユニットＲからの信号を受光し、パルスとして制御部１１０に伝達し、制御部１１０はデータに変換して制御コマンドとして認識する。赤外リモコンＲは、操作スイッチ群１１２と同様ユーザーの入力手段であり、以下の説明で操作スイッチ群１１２を操作する記述は基本的に赤外リモコンＲでも良い。
【００２３】
１１５はリアルタイムクロックであり、カレンダー及び時刻情報を制御部１１０に伝達するためのものである。また初期値とカウント開始命令はユーザーが操作スイッチ１１２によって入力し、制御部１１０を介して与えられる。例えば録画予約機能はこのリアルタイムクロック１１５によって生成される時間情報を利用する。また録画コンテンツに付与されるタイムスタンプ情報も同様である。
【００２４】
制御部１１０は所定のファイルシステムを扱うソフトウエアを搭載しており、このファイルシステムに従ってＨＤＤ１０５、光ディスクＤへのデータの読み書きが行われる。また一回の録画開始から終了までを基本的に一つのコンテンツとして管理する。コンテンツリストを表示するような場合にも、このコンテンツ単位が基本となる。
【００２５】
操作スイッチ群１１２に備えられているスイッチの一例を図９で説明する。
【００２６】
９０１は電源キーであり、本体の電源をオンオフする。９０２はＨＤＤ選択キーであり、録画再生するメディアとしてＨＤＤ１０５を選択する。９０３はディスク選択キーであり、やはり録画再生するメディアとして光ディスクＤを選択する。９０４は録画モードキーであり、記録時の画質を選択する。９０５は録画キーであり、録画を開始する。９０６は停止キー、９０７は一時停止キー、９０８は再生キーであり、それぞれ再生動作を決定する。また停止キー９０６は録画時には録画を停止する。９１３は逆方向早送りキー、９１４は正方向早送りキーであり、それぞれ再生時に早送りさせるためのキーである。
【００２７】
９０９はメニューキーであり、本体に備えられた機能を呼び出すためのキーである。９１０は消去キーであり、選択されているコンテンツを消去する。９１１は十字キーであり、制御部１１０とＯＳＤ部１１３によって表示されるグラフィックユーザインターフェースと組み合わせて使用するもので、フォーカスを上下左右に移動させる場合などに使用する。９１６は戻るキーであり、各種モードから抜けるためのきーである。９１７は決定キーであり、十字キー９１１で選択した項目を決定するときなどに使用する。９１２は選局キーである。９１５はリストキーであり、コンテンツ選択リストを表示する。
【００２８】
なお、図９の各種キーは赤外リモコンＲに備えられており、リモコン受光部１１４を介し所定のコードとして制御部１１０に伝達されるものであっても良い。また操作スイッチ群１１２に設けられているスイッチは図９で説明したキーが全てというわけではなく、本実施例の説明で必要となるものに関して説明した。
【００２９】
次に記録動作を説明する。なお、ここでは、ＨＤＤキー９０２が操作され、記録媒体としてＨＤＤ１０５が選択されているものとする。
【００３０】
まず、電源が投入されると制御部１１０はＨＤＤ１０５から前述のファイルシステムに則って記録可能（空き）領域を検索する。そして、記録可能容量を算出し、記録可能容量と録画モードキー９０４により設定された記録モードから記録可能時間を算出する。以降記録中は記録可能容量の減少を監視し、定期的に記録可能時間を更新していく。
【００３１】
一方、ユーザーは操作スイッチ群１１２を使って所望のチャンネルを選局する操作を制御部１１０に伝える。制御部１１０は常にスイッチの状態を検出し、ユーザーの操作を監視している。ここでは選局操作を検出し、チューナー部１０１に対しチャンネルを変更する制御を行う。以下ユーザーの操作は断りのない限り操作スイッチ群１１２を介して制御部１１０に操作を伝えるものとする。
【００３２】
次にユーザーが記録開始要求を発生させると、選局された放送番組の記録を開始すべく、制御部１１０が各ブロックを制御する。まずエンコーダ１０２にはエンコード処理を開始させ、デジタルビデオデータをメモリ１０６の所定アドレスを先頭に蓄積するよう制御する。所定量のデータを蓄積する毎にエンコーダ１０２は制御部１１０に割り込み等の手段により通知する。制御部はこの通知を受け、次に蓄積すべき先頭アドレスをエンコーダ１０２に通知する。さらに制御部１１０はエンコーダ１０２によってメモリ１０６に蓄積されたデジタルビデオデータをＨＤＤ１０５に書き込むようＡＴＡＰＩ＿Ｉ／Ｆ部１０４にコマンドを発行する。この時ＨＤＤ１０５に書き込む領域はファイルシステムに則って検索された記録可能（空き）領域である。
【００３３】
このエンコード処理からＨＤＤ１０５への書き込みまでの一連の処理が、記録停止要求が発生するまで繰り返される。本実施例では、記録開始の指示から記録停止の指示までの間に記録する一連のデータを一つのファイルとして記録する。また、コンテンツの記録時間、記録日時、チャンネル、タイトルまたは特殊再生に必要となる情報などの管理情報をファイルのヘッダ（またはフッタ）として付加するか、またはコンテンツ管理ファイルを生成するなどしてＨＤＤ１０５に記録する。
【００３４】
次に再生動作について説明する。やはりユーザーによる操作スイッチ群１１２の操作によって再生させたいコンテンツを選択する。コンテンツリスト、またはコンテンツに関連付けされた代表画像（サムネイル）を表示し（以降コンテンツ選択画面とする）、ポインタを所望のコンテンツまで移動させ、決定することにより再生を開始するシーケンスが一般的である。またはダイレクトに再生キー（または再生命令を発行するために割り付けられたキー）を押すことにより、例えば先頭のコンテンツ、前回再生時の続き、最後に記録したコンテンツなどを再生しても良い。
【００３５】
制御部１１０は、このように決定したコンテンツのデジタルビデオデータをＨＤＤ１０５から読み出す。具体的には、記録時とは逆にＨＤＤ１０５から読み出しメモリ１０６に蓄積するようＩ／Ｆ部１０４にコマンドを発行する。この時、記録時と同様にＨＤＤ１０５の読み出し先頭セクタ、メモリ１０６の書き込み先頭アドレス、データ量は制御部１１０が指定する。次に制御部１１０はデコーダ部８に対し、メモリ１０６に蓄積されたデジタルビデオデータをデコード処理するようコマンドを発行する。コンテンツが終了するか停止、または一時停止等のユーザー操作が加えられるまで、デコーダ部１０８にデコード処理するデジタルビデオデータが途切れることのないよう一連の処理が繰り返し実行される。
【００３６】
コンテンツ選択画面の一例を図２で説明する。２０１は表示画面であり、映像出力端子１０９から出力され、テレビジョン受像機等に表示されるものである。２０３〜２０８はコンテンツの代表画像である。２１１は選択枠であり、選択されているコンテンツをユーザーに知らしめるために表示している。ユーザーの操作により準じ移動していき、所望のコンテンツまで選択枠２０５を移動させ、再生を開始させるものである。なお図２には図示していなが、コンテンツの記録日、タイトル、記録モード等の情報を合わせて表示しても良い。
【００３７】
ここまで説明してきた記録、再生動作は光ディスクＤに対する記録再生時でも同様である。またＨＤＤ１０５と光ディスクＤ間でデータのコピー、移動なども制御部１１０の制御によって可能である。
【００３８】
次に、本発明の特徴となる記録動作を図４のフローチャートを用いて説明する。
【００３９】
ユーザーが記録キーを押したときなど記録動作に入ると、記録媒体として選択されているのが光ディスクＤであるか、またはＨＤＤ１０５なのかを判定する（Ｓ４０１）。ここでディスクＤではなくＨＤＤ１０５が選択されていた場合、ＨＤＤ１０５への記録処理を前述の通り記録停止命令が発生するまで実行する（Ｓ４０５）。
【００４０】
一方、ディスクＤが選択されていた場合、ＨＤＤ１０５への記録と同様に、光ディスクＤへの記録を開始する（Ｓ４０２）。そして、ディスクＤへの記録を行いながら、光ディスクＤの記録可能時間が所定の閾値以上であるか否かを判定し（Ｓ４０３）、記録残量がある場合にはユーザー操作によって記録停止命令が発生したか否か判定する（Ｓ４０４）。記録停止要求が発生したときには本フローチャートによる制御を終了する。
【００４１】
また、ディスクＤの記録残量が所定の閾値よりも少なくなると、ＨＤＤ１０５に対するデータの記録を開始する（Ｓ４０５ｂ）。この処理内容はステップＳ４０５とほぼ同様であるが、ここでは、ＨＤＤ１０５に対する記録を開始してから所定時間後に光ディスクＤへの記録を停止する。また、ステップＳ４０５ｂにおけるＨＤＤ１０５へのデータの記録は、やはりユーザーによる記録停止命令が発生したときに終了する。
【００４２】
Ｓ４０５ｂの処理により、光ディスクＤに対する記録停止直前のデータをＨＤＤ１０５にも共通して記録し、ディスクＤに対する記録を停止した後はＨＤＤ１０５に対して引き続きデータを記録する。以降この動作をリレー記録という。リレー記録時に、ディスクＤからＨＤＤ１０５への切り替え部分近傍の所定区間は両メディアに記録されている。この区間をのりしろ領域とする。
【００４３】
この様にリレー記録の後に記録停止の指示があると、光ディスクＤの残量とＨＤＤ１０５リレー記録されたデータ量を比較する（Ｓ４０８）。ここで比較するＨＤＤ１０５にリレー記録されたデータ量は、ＨＤＤ１０５へ今回新たに記録したコンテンツからのりしろ部を除いたデータ量のことである。
【００４４】
ここでディスクＤの残量の方がＨＤＤ１０５にリレー記録されたデータ量よりも大きい場合、ＨＤＤ１０５にリレー記録されたデータを光ディスクＤに移動する。即ち、Ｓ４０６でディスク残量の方が大きいということは、ＨＤＤ１０５にリレー記録したものの、結果的には光ディスクＤに記録を続けていても最後まで記録することが可能であったということを示しており、ここではＨＤＤ１０５にリレー記録されていたデータを光ディスクＤに移動し一つのファイルとして結合する。
【００４５】
但し、ここでは、のりしろ部分は削除した上で結合する。結合とは、もともと光ディスクＤに記録してきたファイルに書き足すことであり、二つに分割されたストリームを時系列順に一つのファイルにすることである。またこれによって生じるディスクＤの管理ファイルの更新も同時に行う。
【００４６】
一方、Ｓ４０６でＨＤＤ１０５にリレー記録されたデータ量がディスクＤの残量よりも大きい場合、この様に光ディスクＤとＨＤＤ１０５に跨って記録されたコンテンツを管理するためのリレー記録管理情報を生成し、ＨＤＤ１０５とディスクＤに記録する（Ｓ４０７）。なお、このリレー記録管理情報は、前述のコンテンツ管理ファイルに記載しても良い。制御部１１０は、複数ある光ディスクから特定のコンテンツ、つまり前記リレー記録管理情報に関連するコンテンツが記録されているディスクを特定できなければならない。そこで光ディスクに記録するコンテンツ管理情報、またはコンテンツファイルなどに、リレー記録されたコンテンツであり、どのリレー管理情報と関連するものであるか識別する符号を付与し、記録する。
【００４７】
ここで、リレー記録管理情報について図３を用いて説明する。
【００４８】
図３は、ＨＤＤ１０５に記録するリレー記録管理情報の一例である。３０１はＨＤＤコンテンツ管理データであり、ＨＤＤコンテンツＩＤ、記録日時、開始位置、記録時間、容量等の項目は、ＨＤＤに記録された部分に関するものである。また、リレーＩＤはリレー記録されたコンテンツがあるときのみ付与され、リレー記録でないときには例えば“０”となる。制御部１１０は、このリレー記録管理情報をＨＤＤ１０５に記録したコンテンツファイル毎に生成して、記録する。
【００４９】
３０２は光ディスクＤに記録されたリレー記録コンテンツに関する識別データである（以下リレー記録ディスク部情報とする）。ＤＩＳＣ＿ＩＤは光ディスクごとにユニークとなるよう付与した情報であり、コンテンツＩＤ、記録日時、記録時間、空き容量等は全て光ディスクに関する情報である。リレー記録ディスク部情報３０２はリレーＩＤによって関連付けられている。制御部１１０は、このリレー記録ディスク部情報３０２をＨＤＤ１０５に記録されたリレー記録コンテンツファイル毎に生成し、ＨＤＤ１０５の所定のエリアに記録すると共に、同様の情報を光ディスクＤに記録されたリレー記録コンテンツファイル毎に記録する。
【００５０】
この様に、ＨＤＤ１０５に記録したリレー記録管理情報と光ディスクＤに記録したリレー記録ディスク部情報３０２とを比較することで、光ディスクＤとＨＤＤ１０５に記録されたリレー記録コンテンツを対応付けることができる。
【００５１】
なお、ＤＩＳＣ＿ＩＤは、光ディスクＤを初めて本体に挿入したとき、またはフォーマットしたときなどにシステムが記載する情報である。規格上全てのディスクに個別のＩＤが書き込まれているものである場合、または無線ＩＤタグのような識別手段を有している場合にはそれを用いても良い。
【００５２】
次に、光ディスクに記録した最後のコンテンツには、リレー記録された残りのデータが別に記録されていることを知らせるメッセージ情報を生成し、ディスクＤに記録する。例えば、図５のような映像を所定時間再生するためのビデオデータを記録する。このデータは、エンコーダ１０２による圧縮方式と同一方式で圧縮処理されたビデオデータである。また予め圧縮されており、制御部内のプログラムとしてＲＯＭ化しておくか、またはＨＤＤ１０５に製造時に記録しておく。
【００５３】
ここまで説明してきた図４のフローチャートの制御を行うことにより、リレー記録が可能であると共に、光ディスクＤに記録されたデータだけを別の機器で再生した場合にも、リレー記録されたコンテンツが存在することがわかる。
【００５４】
次に、図４のフローチャートによって記録されるコンテンツの状態を、図６を用いて説明する。
【００５５】
図６の横軸はビデオデータの容量を表している。ＤｓからＤｅが光ディスクＤに記録可能な最大のビデオデータのデータ量である。Ｄ１からＤｅがステップＳ４０３においてリレー記録を行うか否かを判別するための残量閾値に相当し、Ｄ２からＤｅが図５のビデオデータを記録するのに要する容量である。Ｈｓから右方向はＨＤＤ１０５への記録データの様子を表している。Ａ、Ｂ、Ｃ、Ｄは図４のそれぞれの流れを表し、それぞれの右側に図示されているイメージがビデオデータ量及び配置の一例となる。６０１〜６０９はそれぞれ記録されるビデオデータの様子を示している。これ以降、ビデオデータ６０１のように記載する。６１０はリレー記録管理情報である。
【００５６】
図６のＡでは、記録媒体としてＨＤＤ１０５を選択しているので光ディスクＤにデータは記録されない。Ｂでは、光ディスクＤの容量が十分残っている間に記録を止めたので、リレー記録は行わない。
【００５７】
Ｃはリレー記録が発生した場合であり、ビデオデータ６０３がＤ１に差し掛かったとき、ステップＳ４０３からステップＳ４０５ｂに遷移し、ＨＤＤ１０５への記録が開始され、ビデオデータ６０６及び同６０８が記録される。また、ビデオデータ６０３がＤ２に到達した時点で光ディスクＤへの記録を停止する。また、ビデオデータ６０３のＤ１からＤ２の区間のデータと、ビデオデータ６０６は同時に記録されたデータであり、ビデオストリームとしては同一のものである。（前述ののりしろ部。）また、ビデオデータ６０５は前述の様に記録終了後に記録される。ビデオデータ６０５は図５で説明したビデオデータである。なおビデオデータ６０６、６０８は説明のため二つに分けてあるが、実際には一つのコンテンツ（ファイル）としてＨＤＤ１０５に記録される。
【００５８】
Ｄは、一度ＨＤＤ１０５に対してリレー記録されるが、光ディスクＤの残量よりＨＤＤ１０５にリレー記録されたデータ６０９の方が少ない、つまり、
（Ｄ２−Ｄｅ）≧ビデオデータ６０９
であるので、このＨＤＤ１０５に一旦リレー記録されたビデオデータ６０９ａをディスクＤに移動し、ビデオデータ６０９として記録する。前述の様に、ビデオデータ６０４と６０９は一つのコンテンツとして記録される。結果的にはＢのパターンと容量が異なるだけとなる。なお、移動後はＨＤＤ１０５からビデオデータ６０７、６０９ａを削除する。
【００５９】
次に、再生時の処理に関して説明する。
【００６０】
本実施例では、光ディスクＤあるいはＨＤＤ１０５のどちらか一方を選択し、選択された方のメディアに記録されているコンテンツの一つを選択して再生する場合について説明する。
【００６１】
まず、ユーザーの操作により光ディスクＤが選択された場合の再生動作について図７のフローチャートを用いて説明する。ディスクＤに記録されたコンテンツのうちの一つが選択されて再生が指示されると、前述のリレー記録管理情報に基づいて、再生指示されたコンテンツがリレー記録されたコンテンツであるか否かを判別する（Ｓ７０１）。
【００６２】
再生指示されたコンテンツがリレー記録されたコンテンツであった場合、更に、この再生指示されたコンテンツに対応するコンテンツがＨＤＤ１０５に記録されているか否かを、ＨＤＤ１０５に記録されているリレー記録ディスク部情報３０２のリレーＩＤとディスクＤから再生したリレー記録管理情報のリレーＩＤを比較することにより判定する（Ｓ７０２）。
【００６３】
判定の結果、ＨＤＤ１０５に対応するリレー記録コンテンツが記録されていた場合、まず、光ディスクＤから選択されたコンテンツの再生を実行する（Ｓ７０３）。そして、光ディスクＤに記録されたコンテンツが終了部分近傍になったか否かを判別する（Ｓ７０４）。具体的には、図６のＣの場合において、ビデオデータ６０３をＤ１まで再生したか否かを判別し、Ｄ１まで再生した時点で、リレー記録ディスク部情報３０２に基づいてＨＤＤ１０５に記録されたリレー記録コンテンツの再生を開始する（Ｓ７０５）。
【００６４】
そして、デコーダ１０８とＯＳＤ１１３を制御して、図６のビデオデータ６０３におけるＤ１からＤ２のデータを再生している期間内に、映像出力端子１０９から出力される映像信号と、音声出力端子１０７から出力される音声信号を、ＨＤＤ１０５からの再生データから得られたものに切り替え、光ディスクＤの再生を停止する。このとき、当然、図６のデータ６０５として記録されている、図５に示したメッセージ画面は再生しない。
【００６５】
その後、ＨＤＤ１０５に記録された、リレー記録コンテンツの残りの部分を再生する。
【００６６】
また、Ｓ７０１でリレー記録コンテンツでない場合、或は、Ｓ７０２の判定の結果、ＨＤＤ１０５に対応するリレー記録コンテンツが記録されていない場合、リレー記録ではないか、または自己記録コンテンツではないため通常再生して本制御を終了する。
【００６７】
ここで、再生指示されたコンテンツが他の装置で記録されたリレー記録コンテンツである場合、つまり、ステップＳ７０２から遷移してきた場合には、光ディスクＤのコンテンツ再生終了時に図５のメッセージ画面が再生される。従って、ユーザーは他の装置にコンテンツの続きがあることを容易に理解できる。
【００６８】
また、以上説明したリレー記録機能を搭載していない装置で、ディスクＤに記録されたリレー記録コンテンツを再生した場合にも、やはり図５のメッセージ画面が表示されるので、ユーザーは続きがあることを容易に認識できる。
【００６９】
次に、ＨＤＤ１０５が選択された場合の再生動作を図８のフローチャートを用いて説明する。
【００７０】
ＨＤＤ１０５に記録されたコンテンツのうちの一つが選択されて再生が指示されると、前述のリレー記録管理情報に基づいて、再生指示されたコンテンツがリレー記録されたコンテンツであるか否かを判別する（Ｓ８０１）。
【００７１】
再生指示されたコンテンツがリレー記録されたコンテンツであった場合、更に、この再生指示されたコンテンツに対応するコンテンツが光ディスクＤに記録されているか否かを、ＨＤＤ１０５に記録されているリレー記録ディスク部情報３０２のリレーＩＤとディスクＤから再生したリレー記録管理情報のリレーＩＤを比較することにより判定する（Ｓ８０２）。
【００７２】
判定の結果、ＨＤＤ１０５に対応するリレー記録コンテンツが記録されていた場合、図３のリレー記録管理情報に基づいて光ディスクＤに記録された対応するリレー記録コンテンツを検出し、光ディスクＤからこのリレー記録コンテンツの再生を実行する（Ｓ８０３）。そして、光ディスクＤに記録されたコンテンツが終了部分近傍になったか否かを判別する（Ｓ８０４）。具体的には、図６のＣの場合において、ビデオデータ６０３をＤ１まで再生したか否かを判別し、Ｄ１まで再生した時点で、ＨＤＤ１０５に記録されたリレー記録コンテンツの再生を開始する（Ｓ８０５）。
【００７３】
そして、デコーダ１０８とＯＳＤ１１３を制御して、図６のビデオデータ６０３におけるＤ１からＤ２のデータを再生している期間内に、映像出力端子１０９から出力される映像信号と、音声出力端子１０７から出力される音声信号を、ＨＤＤ１０５からの再生データから得られたものに切り替え、光ディスクＤの再生を停止する。このとき、当然、図６のデータ６０５として記録されている、図５に示したメッセージ画面は再生しない。
【００７４】
その後、ＨＤＤ１０５に記録された、リレー記録コンテンツの残りの部分を再生する。
【００７５】
このように、リレー記録を行った装置でリレー記録コンテンツを再生する場合（自己記録再生）には、光ディスクＤ或はＨＤＤ１０５のいずれが選択されている場合であっても、対応するリレー記録コンテンツが光ディスクＤとＨＤＤ１０５に記録されている場合、ユーザーは再生を指示するだけで、光ディスクＤからＨＤＤにリレー記録されたデータを連続して鑑賞することができる。
【００７６】
以上説明したように、本実施例によれば、着脱可能な光ディスクに記録中、容量不足によりハードディスクなどの内蔵された大容量記録媒体にバックアップ記録（リレー記録）したとき、光ディスクに記録したリレー記録コンテンツの最後にリレー記録である旨を示すメッセージ画面の情報を付加して記録しているので、この光ディスクに記録されたリレー記録コンテンツを別の装置で再生した場合にも、コンテンツの続きが記録装置に記録されていることを知ることが可能となる。
【００７７】
また、本実施例では、リレー記録を行った場合に、光ディスクとＨＤＤに対し、リレー記録コンテンツを互いに対応付けるための識別情報を記録し、再生時にはこの識別情報に従って光ディスクとＨＤＤに記録されたリレー記録コンテンツを自動的に連続して再生するので、ユーザーは、光ディスクに記録された所望のコンテンツを選択して再生するだけで、容易にＨＤＤに記録されているコンテンツをも視聴可能となる。
【００７８】
なお、本実施例ではリレー記録が発生した場合、光ディスクのリレー記録コンテンツを再生した後に図５のメッセージ画面が表示されるよう記録することとしたがこれに限定するものではなく、管理情報として記録しても良い。但しこの場合は各機器間で互換が保たれるよう予め情報の意味を定義しておく必要がある。
【００７９】
また、メッセージ画面の映像データに代えて、リレー記録コンテンツである旨を通知するための音声データを符号化して光ディスクに記録しておき、光ディスクのリレー記録コンテンツを再生した後にこのメッセージ音声データを再生する構成でもよい。
【００８０】
前述の様に、リレー記録を行った場合、記録終了後に光ディスクに必要な空き領域ができれば、リレー記録されたコンテンツ、つまり図４、または図６のＣのシーケンスで記録されたコンテンツを光ディスクに移動し、前半部分のデータと結合することが可能となる。
【００８１】
このためには、例えば、コンテンツ単位で消去するコンテンツ消去、またコンテンツの一部を消去する部分消去などの編集機能によって、ユーザが光ディスクに空き領域を作ればよい。コンテンツ消去は、図２のコンテンツ選択画面で消去したいコンテンツに選択枠２１１を移動させ、消去キー８１０を押すことにより消去が実行される。また消去したいコンテンツを再生中に消去キー８１０を押しても良い。
【００８２】
次に、部分消去について説明する。
【００８３】
図１０は、図６と同様にコンテンツをイメージ化したものであるが、ここでは横軸は時間である。１００１は一連のコンテンツを示しており、左方向から右方向に時間が経過する。１００２はコンテンツ１００１の最初のシーンであり、ここではシーンＡとする。１００３は不要イン点、１００４は不要アウト点であり、不要イン点１００３から不要アウト点１００４までが、例えばＣＭなどユーザーが消去したいと考えている領域とする。
【００８４】
１００５はコンテンツ１００１のシーンＢである。１０１１は不要イン点１００３の映像であり、１０１２は不要アウト点１００４の映像である。部分消去実行後は、１００４ｂのようにシーンＡ１００２とシーンＢ１００５のみのコンテンツがディスクＤ上に残ることになる。
【００８５】
この操作を実現するためのユーザインターフェースについて説明する。
【００８６】
図２のコンテンツ選択画面の状態（コンテンツ代表画像２０５選択時）でメニューキー９０９が操作されると、実行可能な機能リストが制御部１１０によって表示される。この様子を図１１に示す。１１０１は機能リストである。図１１では情報、タイトル設定、部分消去などが選択でき、初期状態である情報が選択されている。
【００８７】
図１２は機能リスト１１０１のみ抜き出した図である。１２０１はフォーカスであり、現在選択されている機能であることを示す。十字キー９１１を操作することにより図１２のようにフォーカス１１０１を移動させていく。また決定キー９１７を操作することにより機能選択が決定される。
【００８８】
この操作により部分消去を選択した時の表示例が図１３である。
【００８９】
１３０１は表示画面全体であり、コンテンツ代表画像２０５に関連付けられているコンテンツを表示すると共に、以降説明する各種情報を合成して表示している。なお、このコンテンツは図１０で説明したものとする。１３０２は再生状態の情報である。現在は通常再生なので“再生”と表示している。この他“一時停止”、“早送り”、“早戻し”などがあり、それぞれを意味する図形でも構わない。１３０３はカウンタ値であり、現在再生されているカウンタ値（時間）を表示している。１３０４はイン点の映像であり、部分消去の開始位置の映像を表示する。図１３ではまだ選択されていないため、制御部１１０が生成した初期画面となっている。１３０５はアウト点の映像であり、部分消去の終了位置の映像を表示する。図１３では、やはりまだ選択されていないため、制御部１１０が生成した初期画面となっている。
【００９０】
１３０６は選択された機能の情報であり、現在部分消去機能の実行中であることを表示している。このまま再生、またはユーザー操作によって早送りをして図１０の不要イン点１００３で一時停止した状態が図１４である。図１４（ａ）は一時停止した直後の状態を示している。
【００９１】
１３０１ｂは不要イン点１００３の映像である１０１１に図１３で説明した各種情報を重畳した画面である。１３０２ｂは再生状態であり、現在一時停止であることを表示している。この状態でユーザーが決定キー９１７を押すことにより部分消去のイン点が決定する。この状態の表示画面が図１４（ｂ）であり、１３０４ｃは現在一時停止している映像の縮小画像に差し替わっている。これは、制御部１１０の制御により、ＯＳＤ部１１３が一時停止位置の１フレームの画像データを抽出し、縮小して合成したものである。また、制御部１１０は、不要イン点の決定と同時に現在の位置を部分消去開始位置として記憶する。
【００９２】
その後、同様に部分消去終了点も決定され、制御部１１０は部分消去終了位置も記憶する。この時の表示画面が図１５（ａ）である。
【００９３】
１３０１ｄは不要アウト点１００４の映像に、図１３で説明した各種情報を重畳した画面である。１３０５ｄは現在一時停止している映像の縮小画像に差し替わっている。図１５（ｂ）は、図１５（ａ）の画面と同時か、もしくは所定時間後（例えば１秒後）に表示する画面である。１５１１はダイアログ、１５１２はメッセージ、１５１３ははいボタンイメージ、１５１４はいいえボタンイメージである。
【００９４】
図１５（ｂ）に示す様に、ユーザーに現在指定されている部分を消去するか否かを確認するため、メッセージ１５１２を含むダイアログ１５１１を表示する。ユーザーは十字キー９１１を操作し、はいボタンイメージ１５１３か、いいえボタンイメージ１５１４のどちらかを選択し、決定キー９１７で決定する。ハイボタンイメージ１５１３を選択決定した場合には、部分消去が実行される。この作業を繰り返すことにより、ユーザは消去したいシーンのみ消去していくことが可能となる。
【００９５】
次に、この様にリレー記録コンテンツを含む光ディスクにおいて部分消去を行った場合の情報表示について説明する。
【００９６】
図１６はリレー録画されたコンテンツを含む光ディスクで、録画されている何れかのコンテンツに対して部分消去を行う時の表示画面である。
【００９７】
１６２１はリレー記録連結アイコン、１６２２はリレー記録連結インジケータ、そして１６２３は記録可能容量の情報である。リレー記録連結アイコン１６２１は、右に表示されているインジケータがリレー記録連結インジケータ１６２２であることを示し、記録可能容量１６２３は、ＨＤＤ１０５に記録されているリレー記録コンテンツをディスクＤに移動して連結するために使用可能な容量を表している。なお記録可能容量１６２３がリレー録画連結インジケータ１６２２の右端まで来たとき、ＨＤＤ１０５に記録されている部分のリレー記録コンテンツを光ディスクに移動可能であることを示す。以降これらをリレー記録連結情報表示とする。
【００９８】
例えば、ＨＤＤ１０５に記録されたリレー記録コンテンツの後半部分のデータを移動するのには光ディスクＤに１ＧＢの空き容量が必要であり、現在５００ＭＢの空き容量があるとすると、記録可能容量１６２３をリレー記録連結インジケータ１６２２のちょうど中間点までの長さとなるよう表示する。なお、記録可能容量１６２３は、ＨＤＤ１０５に記録されたリレー記録コンテンツのデータを光ディスクＤに移動、連結した後、のりしろ部分として記録されていたビデオデータ６０５の記録領域は空き領域となるので、記録可能容量１６２３も０にはならない。
【００９９】
次に、前述の様に、リレー記録コンテンツを含む光ディスクから部分消去を行った場合における、記録可能容量１６２３の変化の仕方について説明する。
【０１００】
図１７は、図１６の状態から部分消去を開始し、不要イン点まで確定し、不要アウト点を指定するべく更に再生を進め、図１０のｔ１まできている状態である。
【０１０１】
１７３１は記録可能予約容量を示しており、現在消去候補となっている領域、つまり不要イン点からｔ１までを消去した場合に新たに発生する空き容量を示す。図１８でさらに記録可能予約容量１７３１の変化について説明する。
【０１０２】
１８０１は不要イン点が確定するまでの表示であり、まだ記録可能予約容量１７３１は存在しない。この後不要アウト点を検索すべく早送り、再生の操作によってコンテンツの先へと進めていく。この時の表示例が１８０２、及び１８０３であり、それぞれ図１０のｔ１、ｔ２の位置に相当する。１８０４は不要アウト点まで進めたときの表示状態である。
【０１０３】
１８０５は、消去確定し図１５（ｂ）のダイアログ１５１１が表示され、ユーザーがはいボタンイメージ１５１３を選択することによって部分消去が実行されたときの表示状態である。ここでは記録可能予約容量１７３１の領域は、記録可能容量表示１６２３と合成され、記録可能容量表示１６２３ｄとなる。また、いいえボタンイメージ１５１４を選択した場合には、また１８０１へと戻ることになる。
【０１０４】
このように記録可能予約容量１７３１はリアルタイムに変化していき、その領域が実際に消去されると記録可能容量１６２３に置き換えられる。これを繰り返し、記録可能容量１６２３がリレー録画連結インジケータ１６２２の右端まできたとき、ＨＤＤ１０５に記録されたリレー記録コンテンツを光ディスクＤに移動可能であることを示し、図１９のダイアログを表示する。１９０１はＨＤＤ録画部移動確認ダイアログであり、１９０２はＨＤＤ録画部移動確認メッセージである。ユーザーがはいボタンイメージ１５１３を選択すると実行され、いいえボタンイメージ１５１４を選択するとキャンセルする。
【０１０５】
この様な部分消去処理及びそれに伴うリレー記録コンテンツの移動処理について図２０のフローチャートを用いて説明する。
【０１０６】
光ディスクＤに対してコンテンツの部分消去を開始すると、光ディスクＤにリレー録画されたコンテンツがあるか否かを判定する（Ｓ２００１）。リレー記録コンテンツがある場合、前述の様に、リレー録画連結情報を表示して部分消去処理を行う（Ｓ２００２）。部分消去が終了すると、再びリレー記録コンテンツが存在するか否かを判定する（Ｓ２００３）。ここで、否となるのは部分消去を行った対象がリレー記録コンテンツであり、かつ結果として全てのシーンを消去してしまったときである。その場合には、後述のＳ２００７へ遷移し、リレー記録コンテンツが消去されていない場合には、ＨＤＤ１０５に記録された分のリレー記録コンテンツのデータ量と光ディスクＤの空き容量を比較する（Ｓ２００４）。
【０１０７】
そして、光ディスクＤの空き容量の方が大きい場合、光ディスクＤに対してＨＤＤ１０５に記録された分のリレー記録コンテンツの移動要求があるか否かを判定する（Ｓ２００５）。これは、ＨＤＤ１０５に記録されたリレー記録コンテンツを光ディスクＤに移動するかどうかユーザーに確認をとる処理であり、ＯＳＤ部を制御して図１９で説明したようなダイアログを表示し、ユーザーの入力を待つ。
【０１０８】
移動要求があった場合、前述の様に、ＨＤＤ１０５に記録された部分のリレー記録コンテンツのデータを再生し、光ディスクＤに移動する。そして、光ディスクＤ及びＨＤＤ１０５に記録されているリレー管理情報を更新する（Ｓ２００７）。
【０１０９】
また、Ｓ２００３で部分消去した結果リレー記録コンテンツがディスクＤから消去されていた場合、Ｓ２００４で光ディスクＤの空き容量がＨＤＤ１０５に記録された部分のリレー記録コンテンツのデータ量よりも少ない場合、或は、Ｓ２００５でユーザーからの移動要求が無かった場合もＳ２００７にてリレー管理情報を更新する。
【０１１０】
また、Ｓ２００１でディスクＤにリレー記録コンテンツが記録されていなかった場合、図１３〜図１５にて説明した通常の部分消去処理を実行する。
【０１１１】
この様に、光ディスクにリレー記録コンテンツが記録されている場合に、ディスクＤから不要な部分を消去して空き容量を作成することで、ＨＤＤ１０５に記録されていた部分のリレー記録コンテンツをディスクＤに移動することができる。
【０１１２】
一方、ＨＤＤ１０５に記録されたリレー記録コンテンツの一部を消去することで、ＨＤＤ１０５に記録されているリレー記録コンテンツを光ディスクＤに移動することもできる。図２１は、このようにＨＤＤ１０５に記録されたリレー記録コンテンツの一部を削除することでそのデータ量を減らし、ディスクＤに移動する場合の制御部１１０の処理を示すフローチャートである。
【０１１３】
ＨＤＤ１０５に記録されたコンテンツに対する部分消去の指示があると、まず、部分消去が指示されたコンテンツがリレー録画コンテンツであるか否かを判定する（Ｓ２１０１）。ここで、消去対象がリレー記録コンテンツであった場合、図１７、図１８にて説明した処理と同様の部分消去処理を実行する（Ｓ２１０２）。ただし、この場合には、図１７の記録可能予約容量１７３１はＨＤＤ１０５からリレー記録コンテンツを消去することにより増加することになる。
【０１１４】
部分消去処理の結果、対象のリレー記録コンテンツの一部がＨＤＤ１０５に残っているか否かを判定し（Ｓ２１０３）、残っていた場合、光ディスクＤの空き容量とＨＤＤ１０５に残されたリレー記録コンテンツのデータ量を比較する（Ｓ２１０４）。その結果、ディスクＤの空き容量の方が大きい場合には、光ディスクＤに対してＨＤＤ１０５に記録された分のリレー記録コンテンツの移動要求があるか否かを判定する（Ｓ２１０５）。これは、ＨＤＤ１０５に記録されたリレー記録コンテンツを光ディスクＤに移動するかどうかユーザーに確認をとる処理であり、ＯＳＤ部を制御して図１９で説明したようなダイアログを表示し、ユーザーの入力を待つ。
【０１１５】
移動要求があった場合、ＨＤＤ１０５とディスクＤに記録されたリレー管理情報におけるディスクＩＤが一致するか否かを判定し（Ｓ２１０６）、一致しない場合にはＯＳＤ部を制御して、移動しようとしているＨＤＤ１０５のリレー記録コンテンツに対応するリレー記録コンテンツが記録されているディスクとは異なるディスクである旨の警告情報を表示し、対応するディスクが装着されるのを待つ（Ｓ２１０７）。
【０１１６】
また、ディスクＩＤが一致した場合、ＨＤＤ１０５に記録されている部分のリレー記録コンテンツを前述の様にディスクＤに移動し（Ｓ２１０８）、更に、ディスクＤとＨＤＤ１０５のリレー管理情報を更新する。
【０１１７】
また、Ｓ２１０３で部分消去した結果リレー記録コンテンツがディスクＤから消去されていた場合、Ｓ２１０４で光ディスクＤの空き容量がＨＤＤ１０５に記録された部分のリレー記録コンテンツのデータ量よりも少ない場合、或は、Ｓ２１０５でユーザーからの移動要求が無かった場合もＳ２１０９にてリレー管理情報を更新する。
【０１１８】
また、Ｓ２１０１でディスクＤにリレー記録コンテンツが記録されていなかった場合、図１３〜図１５にて説明した通常の部分消去処理を実行する。
【０１１９】
また、光ディスクＤに記録されているコンテンツのうち、リレー記録コンテンツ以外のコンテンツを消去するときに表示するダイアログを図２２に示す。２２０１はダイアログであり、前述の通りコンテンツ消去する際に表示する。図２２のダイアログ２２０１は、部分消去ではなく、例えば再生中、または図２のコンテンツ選択画面表示中に消去キー９１０をユーザーが操作した場合、つまりコンテンツごと消去する場合に表示する確認メッセージである。１７３１ｅは記録可能予約容量であり、今回選択されているコンテンツを消去することにより発生する空き容量に相当する。また、記録可能予約容量１７３１ｅがリレー録画連結インジケータ１６２２の右端までくれば、部分消去時と同様に移動ダイアログ１９０２を表示し、ＨＤＤ録画部の移動確認を行う。
【０１２０】
なおここでいう移動とは、光ディスクとＨＤＤにまたがって記録されたコンテンツを、光ディスクにまとめ、当初から全て光ディスクに記録したのと同様に扱えるよう連結し、各管理情報を書き換える処理も含める。
【０１２１】
以上説明したように、本実施例によれば、着脱可能な光ディスクとＨＤＤとに分割記録した後、光ディスクに記録された不要なデータを消去してＨＤＤに記録されたデータを光ディスクに移動する場合に、ＨＤＤに記録されたリレー記録コンテンツの記録に必要なデータ量を光ディスクのデータ削除画面上に表示することで、ユーザーは光ディスクの空き容量が移動するのに十分な容量であるか否かを容易に認識でき、ＨＤＤに分割記録されたリレー記録コンテンツを容易に光ディスクに移動、結合することが可能となる。
【０１２２】
次に、本発明の他の実施形態について説明する。
【０１２３】
前述の様な記録再生装置には、外部機器とデータやコマンドなどのやり取りを行うためのデジタルインターフェースを搭載している機器が多い。例えばＩＥＥＥ１３９４やＵＳＢなどの端子である。
【０１２４】
図２３はこの様にデジタルＩ／Ｆを備えた機器を接続したシステム２３００の様子を示す図である。図２３において、２３０１は本発明が適用される記録再生装置であり、その構成を図２４に示す。２３０２は磁気テープを記録媒体としたデジタルビデオカメラであり、記録再生装置２３０１と接続可能なデジタルインターフェースを有しているものとする。また、デジタルビデオカメラ２３０２は、記録開始部分に頭だしマーカーを書き込む。また、ユーザー操作により任意の位置に書き込むことも可能である。そして、記録再生装置２３０１とビデオカメラ２３０２とをケーブル２３０３で接続し、データを伝送する。
【０１２５】
このようなシステムのアプリケーションとしては、デジタルビデオカメラ２３０２で撮影されたビデオデータを記録再生装置２３０１に送信し、ＤＶＤ−ＲやＤＶＤ−ＲＡＭのような光ディスクにコピーすることが挙げられる。
【０１２６】
本実施例における記録再生装置２３０１の構成を図２４に示す。
【０１２７】
なお、図２４の記録再生装置は図１の記録再生装置とほぼ同様の構成を備えているが、デジタルＩ／Ｆ部１１６を備えており、このデジタルＩ／Ｆ１１６を介してビデオカメラ２３０２やその他の機器に対してデータの送受信が可能である。
【０１２８】
この様に記録再生装置２３０１とビデオカメラ２３０２を接続し、ビデオカメラ２３０２から送信されたビデオデータを記録再生装置２３０１２より記録する時のデータの流れについて図２５を用いて説明する。
【０１２９】
図２５は所謂シーケンス図であり、記録再生装置２３０１とデジタルビデオカメラ２３０２の間のデータの流れを示している。
【０１３０】
２５０１は記録再生装置２３０１からデジタルビデオカメラ２３０２に対して送信されたデータであり、ここでは制御コマンドとする。２５０２は制御コマンド２５０１に対する応答メッセージである。２５０３はデジタルビデオカメラ３２０２から記録再生装置２３０１に対し送信されるビデオデータである。
【０１３１】
例えば、制御コマンド２５０１は再生命令であり、これに応じてビデオテープの再生が開始され、ビデオデータ２５０３を送信しているなどといった流れである。また、ビデオデータ転送中においても、制御コマンドの送受信は行うことができるよう工夫されている。
【０１３２】
よって、例えば所定間隔でデジタルビデオカメラ２３０２のステータスを要求する制御コマンドを発行することにより、頭だしマーカーの有無、タイムコードや録画日時などの各種情報を取得することが可能である。また、記録再生装置２３０１は受信したビデオデータを光ディスクＤやＨＤＤ１０５に記録することが可能である。また、光ディスクＤとＨＤＤ１０５に同時、または交互にリアルタイム記録することが可能である。
【０１３３】
このようなシステムにおいて、デジタルビデオカメラから受信したビデオデータを光ディスクに記録する時の本発明の特徴となる動作について、図２６を用いて説明する。
【０１３４】
図２６はビデオデータをイメージ化した図である。２６０２が光ディスクＤに記録されたデータであり、２６０３はＨＤＤ１０５に記録された領域である。ユーザーにより光ディスクＤが選択され、記録開始の指示があると、デジタルＩ／Ｆ部１１６により受信したビデオデータの記録を開始する。本実施例では、この時、光ディスクＤとＨＤＤ１０５の両者に対してデータの記録を開始する。２６０１ａ〜２６０１ｄはそれぞれ、受信したビデオデータ中に含まれる頭だしマーカーの位置である。
【０１３５】
この様に記録を行った結果、光ディスクＤには２６０４で示した期間のデータが記録できたものとする。これ以降のデータに関しては、ディスクＤが容量不足のため記録することができない。本実施例では、この時、光ディスクＤに記録された最後の頭だしマーカー、ここでは２６０１ｄから記録停止までのデータをＨＤＤ１０５でバックアップし、２６０１ｄ以前にＨＤＤ１０５に記録されたデータはＨＤＤ１０５から削除する。よって最終的にＨＤＤ１０５に記録されるのは期間２６０５のデータのみである。
【０１３６】
この動作により、例えばユーザーは新しい光ディスクと交換し、ＨＤＤ１０５にバックアップ記録された頭だしマーカー２６０１ｄ以降のデータを新たなディスクに簡単に移動することができる。
【０１３７】
なお、図２６において、頭だしマーカーを検出するたびにＨＤＤ１０５にバックアップ記録したデータを削除してもよい。また、記録を終了する時、光ディスクＤに記録されたデータのうち、２６０１ｄ以降を削除してもよい。このとき削除するか否かをユーザーに問い合わせてもよい。また、記録を開始する際、デジタルビデオカメラからテープ残量情報を取得し、光ディスクＤに全て記録可能である場合にはＨＤＤ１０５へのバックアップ記録を停止してもよい。
【０１３８】
また、ＨＤＤ１０５にバックアップ記録する際に、前述の実施例で説明したようにリレー記録管理情報を記録しておき、前述の実施例と同様に再生することも可能である。また、頭だしマーカーではなく、二ヶ国語・ステレオ・モノラルなどの音声モードの切り替わり位置を利用することも可能である。本実施例ではデジタルビデオカメラからのダビングを例に説明したが、放送波を記録するときにはこの様に音声の切り替わり位置を検出することが有効である。
【０１３９】
以上説明してきたように本実施例によれば、デジタルビデオカメラなどの外部機器から送信された映像データを受信して光ディスクに記録する時、映像データのデータ量が光ディスクの記録残量を超えてしまっても、ＨＤＤにバックアップすることが可能となる。このとき、受信した映像データ中の頭だしマーカーを検出して光ディスクとＨＤＤに記録するデータの境界を決定するので、コンテンツの切りのいいところでデータを分割することができる。
【０１４０】
なお、本発明は、これまで説明してきたようなハードウエア、ソフトウエア、画面の構成、デザインに限定するものではなく、同様な機能が実現できれば良い。例えば、チューナーを内蔵したパソコン上で動作し、上記のような機能を実現するソフトウエアであっても良い。
【０１４１】
以上説明した実施例によれば、着脱可能な着脱記録媒体に録画中、容量不足により内蔵された大容量記録媒体にバックアップ録画（リレー録画）された場合、後に着脱記録媒体に空き容量が発生した場合には、その空き容量がバックアップ録画された部分を移動可能か否か自動判別されることとなり、ユーザーによる確認作業が不要となる。また、移動可能時には自動的に移動させることも可能となるような録画再生装置を実現できる。
【０１４２】
また、予め必要となる記録容量を検出することができない外部機器から動画像を光ディスクに記録する場合、光ディスクの記録残量を超えてしまっても、切り良い領域を大容量記録媒体にバックアップすることが可能となり、簡単に次の光ディスクに記録可能な録画再生装置を実現できる。
【図面の簡単な説明】
【０１４３】
【図１】本発明を適用する録画再生装置の構成を示すブロック図である。
【図２】コンテンツ選択画面の表示例である。
【図３】コンテンツ管理情報を説明する図である。
【図４】リレー録画を説明するフローチャートである。
【図５】リレー録画時に光ディスクに記録する情報画面である。
【図６】図２のフローチャートによる記録処理が終了したときのコンテンツの状態を示す図である。
【図７】再生時のフローチャートである。
【図８】再生時のフローチャートである。
【図９】操作スイッチ群の詳細を説明する図である。
【図１０】部分消去の様子を示す図である。
【図１１】部分消去を選択するためのメニューを説明する図である。
【図１２】メニューの機能を選択する方法を説明する図である。
【図１３】部分消去を説明する図である。
【図１４】部分消去の表示例を説明する図である。
【図１５】部分消去で部分消去開始点の決定までの表示例を示す図である。
【図１６】部分消去で部分消去範囲決定から実行確認までの表示例を示す図である。
【図１７】リレー録画コンテンツに対する部分消去時の表示例を示す図である。
【図１８】記録可能予約容量表示が変化する様子を説明する図である。
【図１９】ＨＤＤ録画部移動確認ダイアログの表示例を示す図である。
【図２０】光ディスク内のコンテンツに対する部分消去実行時のフローチャートである。
【図２１】ハードディスク内のコンテンツに対する部分消去実行時のフローチャートである。
【図２２】コンテンツ消去確認ダイアログの表示例を示す図である。
【図２３】本発明が適用されるシステムを説明する図である。
【図２４】本発明を適用する録画再生装置の他の構成を示すブロック図である。
【図２５】デジタルインターフェースによるデータ伝送を説明する図である。
【図２６】図２４の装置により記録されるコンテンツの様子を示す図である。
【図１】
2005174391.tif 000003
【図２】
2005174391.tif 000004
【図３】
2005174391.tif 000005
【図４】
2005174391.tif 000006
【図５】
2005174391.tif 000007
【図６】
2005174391.tif 000008
【図７】
2005174391.tif 000009
【図８】
2005174391.tif 000010
【図９】
2005174391.tif 000011
【図１０】
2005174391.tif 000012
【図１１】
2005174391.tif 000013
【図１２】
2005174391.tif 000014
【図１３】
2005174391.tif 000015
【図１４】
2005174391.tif 000016
【図１５】
2005174391.tif 000017
【図１６】
2005174391.tif 000018
【図１７】
2005174391.tif 000019
【図１８】
2005174391.tif 000020
【図１９】
2005174391.tif 000021
【図２０】
2005174391.tif 000022
【図２１】
2005174391.tif 000023
【図２２】
2005174391.tif 000024
【図２３】
2005174391.tif 000025
【図２４】
2005174391.tif 000026
【図２５】
2005174391.tif 000027
【図２６】
2005174391.tif 000028